(57)【特許請求の範囲】
【請求項１】
吸気口と排気口を有する本体ケースと、この本体ケース内において前記吸気口と排気口を結んだ送風路と、この送風路内に設けた送風手段と、前記送風路の送風手段と排気口間に設けた気化手段とを備え、前記気化手段は、複数個の孔を有する板体を、所定間隔をおいて上下方向に複数枚配置するとともに、これら複数の板体の上方に給水手段を設けた構成としたものであって、上方の前記板体の傾斜を、下方の前記板体の傾斜よりも、その傾斜を急とした構成とした液体気化装置。
【請求項２】
板体の傾斜上端側よりも傾斜下端側の孔の数を多くした請求項１に記載の液体気化装置。
【請求項３】
最下方の板体の下方にはドレイン皿を設けた請求項１または２に記載の液体気化装置。
【請求項４】
板体の上面側には、親水性処理を設けた請求項１から３のいずれか一つに記載の液体気化装置。
【請求項５】
板体の下面側には、撥水性処理を設けた請求項１から４のいずれか一つに記載の液体気化装置。
【請求項６】
送風路の吸気口と気化手段間に加熱手段を設けた請求項１から５のいずれか一つに記載の液体気化装置。
【請求項７】
請求項１から６のいずれか一つに記載の液体気化装置の排気口を、サウナ室に開口させたサウナ装置。
【発明の詳細な説明】
【技術分野】
【０００１】
本発明は、液体気化装置とそれを用いたサウナ装置に関するものである。
【背景技術】
【０００２】
例えば、サウナ装置に用いられる液体気化装置の構成は、次のような構成となっていた。
【０００３】
すなわち、吸気口と排気口を有する本体ケースと、この本体ケース内の送風路に設けた送風手段と、この送風手段と排気口間に設けた気化手段とを備え、前記気化手段は、ノズルから液体を噴射させる構成となっていた（例えば、下記特許文献１参照）。
【特許文献１】特開平６−６３１０３号公報
【発明の開示】
【発明が解決しようとする課題】
【０００４】
上記従来例において問題となるのは、エネルギー損失が大きくなっているということであった。
【０００５】
すなわち、従来の液体気化装置は、上述のごとく、ノズルから液体を噴射させることにより液体を微粒化し、気化しているが、このように、ノズルから液体を噴射させるものでは、微粒化できなかった多くの排液が発生し、しかも例えば、サウナ装置においては、この排液は、加熱手段による加熱を行った温水であるので、温水をみすみす排出してしまうことになり、結論として、エネルギー損失が大きくなってしまうものであった。
【０００６】
そこで、本発明は、エネルギー損失を抑制することを目的とするものである。
【課題を解決するための手段】
【０００７】
そして、この目的を達成するために本発明は、吸気口と排気口を有する本体ケースと、この本体ケース内において前記吸気口と排気口を結んだ送風路と、この送風路内に設けた送風手段と、前記送風路の送風手段と排気口間に設けた気化手段とを備え、前記気化手段は、複数個の孔を有する板体を、所定間隔をおいて上下方向に複数枚配置するとともに、これら複数の板体の上方に給水手段を設けた構成とし、これにより初期の目的を達成するものである。
【発明の効果】
【０００８】
以上のごとく本発明は、吸気口と排気口を有する本体ケースと、この本体ケース内において前記吸気口と排気口を結んだ送風路と、この送風路内に設けた送風手段と、前記送風路の送風手段と排気口間に設けた気化手段とを備え、前記気化手段は、複数個の孔を有する板体を、所定間隔をおいて上下方向に複数枚配置するとともに、これら複数の板体の上方に給水手段を設けた構成としたものであるので、エネルギー損失を抑制することができる。
【０００９】
すなわち本発明の気化手段は、複数個の孔を有する板体を、所定間隔をおいて上下方向に複数枚配置するとともに、これら複数の板体の上方に給水手段を設けた構成としたものであるので、水は複数の板体を上方から下方へと流下する途中で順次気化し、最下方の板体までには殆どの水が気化することになるので、水の排出が無くなり、その結果としてエネルギー損失を抑制することができるのである。
【発明を実施するための最良の形態】
【００１０】
以下、本発明の一実施形態を、添付図面を用いて説明する。
【００１１】
図１において、１はサウナ室を示し、このサウナ室１の前面壁２には、ドア３が開閉自在に設けられ、また、内部には浴槽４が設けられている。
【００１２】
また、このサウナ室１の天井面５の開口部６には、液体気化装置７が取り付けられている。
【００１３】
液体気化装置７は、温水パイプ８が接続され、また図２に示すごとく、吸気口９と排気口１０を有する本体ケース１１と、この本体ケース１１内において前記吸気口９と排気口１０を結んだ送風路１２と、この送風路１２内に設けた送風手段１３と、前記送風路１２の送風手段１３と吸気口９間に設けた加熱手段１４と、前記送風路１２の送風手段１３と排気口１０間に設けた気化手段１５とを備えた構成となっている。
【００１４】
前記気化手段１５は、図３に示すごとく、複数個の孔１６を有する板体１７を、所定間隔をおいて上下方向に複数枚配置するとともに、これら複数の板体１７の上方に給水手段１８を設けた構成とした。
【００１５】
また、上記複数の板体１７内、最上方のものと、上方から三段目、五段目のものは、その一端側（図３の右側）を上方、他端側（図３の左側）を下方にして傾斜配置しており、最上方の板体１７の一端側上方に上記給水手段１８を設けている。
【００１６】
また、上方から二段目、四段目の板体１７は、その一端側（図３の右側）を下方、他端側（図３の左側）を上方にして傾斜配置している。
【００１７】
さらに、上記五枚の板体１７の内、上方の板体１７程その傾斜を、それよりも下方の板体１７の傾斜よりも、その傾斜を急としている。
【００１８】
また、各板体１７の孔１６の傾斜上方側には、上方に突出するへの突起１９が一体に形成されており、これら複数の突起１９は、後述するように水の拡散用と、水の孔導入用となっている。
【００１９】
さらに、図３のごとく、各板体１７の傾斜上端側よりも傾斜下端側の方が孔１６の数を多くしている。
【００２０】
なお、上方から六段目には、ドレイン皿２０を設けている。
【００２１】
上記構成において、サウナ室１内でサウナを行う時には、先ずは加熱手段１４に温水を供給し、この加熱手段１４が十分に暖まった状態で、送風手段１３を駆動し、続いて給水手段１８に温水を供給する。
【００２２】
すると、先ずは吸気口９からサウナ室１内の空気が本体ケース１１内に吸い込まれ、その空気は直ちに加熱手段１４で加熱され、この加熱空気が気化手段１５を介し、排気口１０からサウナ室１内へと供給されることになる。
【００２３】
この時、気化手段１５には給水手段１８から温水が図４のごとく所定の時間的流量で供給されており、この温水は上段から下段に向けてその傾斜にしたがって流れ落ちることになる。
【００２４】
各板体１７には上述のごとく複数個の孔１６が設けられているので、傾斜にしたがって流下する途中に、その一部は孔１６を介して下段の板体１７へと、流下することになる。
【００２５】
また、各板体１７における孔１６の傾斜上方側には、上述のごとく上方に突出する複数の突起１９が一体に形成されており、よって傾斜にしたがって流下する温水はこれら複数の突起１９で横に広げられ、また孔１６にも誘導されるようになっており、つまり複数の突起１９は水の拡散用と、水の孔導入用となっているのである。
【００２６】
なお、上記五枚の板体１７の内、上方の板体１７ほど、図４のごとくその傾斜を、それよりも下方の板体１７の傾斜よりも、傾斜を急としており、また各板体１７の孔１６は、各板体１７の傾斜上端側よりも傾斜下端側の方が孔１６の数を多くしているので、図４のごとく給水手段１８から温水は上段の板体１７から下段の板体１７全てにおいて、各板体１７の全面に広く薄く広がることになる。
【００２７】
この結果、各板体１７の上面を、加熱手段１４で加熱された加熱空気が流れることにより、スムーズな気化が行われ、この気化した水成分が、上述の温風とともに排気口１０からサウナ室１内へと供給され、快適なサウナを体験できることになるのである。
【００２８】
また、板体１７を複数設け、さらに各板体１７の全面に温水を広く薄く広げることにより、ドレイン皿２０に貯まる温水量も少なく、よって温水の無駄な排出もなく、エネルギー損失も少ないものとなる。さらに、ドレイン皿２０に貯まる温水量をきわめて少なくできることから、サウナ室１への排液手段を別途設ける必要のないものとなり、設置工事の簡素化も図れるものとなる。
【００２９】
なお、上記各板体１７の上面側には、例えば凹凸処理による親水性処理を設けており、この親水性処理によっても、各板体１７の全面に温水を広く薄く広げることができる。
【００３０】
逆に各板体１７の下面側は、金属の鏡面とすることで撥水性処理面としており、これにより孔１６から流下した温水が直ちに下段の板体１７に向けて流下するようにしている。
【産業上の利用可能性】
【００３１】
以上のごとく本発明は、吸気口と排気口を有する本体ケースと、この本体ケース内において前記吸気口と排気口を結んだ送風路と、この送風路内に設けた送風手段と、前記送風路の送風手段と排気口間に設けた気化手段とを備え、前記気化手段は、複数個の孔を有する板体を、所定間隔をおいて上下方向に複数枚配置するとともに、これら複数の板体の上方に給水手段を設けた構成としたものであるので、エネルギー損失を抑制することができる。
【００３２】
すなわち本発明の気化手段は、複数個の孔を有する板体を、所定間隔をおいて上下方向に複数枚配置するとともに、これら複数の板体の上方に給水手段を設けた構成としたものであるので、水は複数の板体を上方から下方へと流下する途中で順次気化し、最下方の板体までには殆どの水が気化することになるので、水の排出が無くなり、その結果としてエネルギー損失を抑制することができるのである。
【００３３】
また、サウナ室への排液手段を別途設ける必要のないものとなり、設置工事の簡素化も図れるものとなる。
【００３４】
したがって、サウナ装置への活用が期待されるものとなる。
【図面の簡単な説明】
【００３５】
【図１】本発明の一実施形態における液体気化装置を用いたサウナ装置の斜視図
【図２】同液体気化装置の断面を示す構成図
【図３】同気化手段の斜視図
【図４】同気化手段の断面を示す構成図
【符号の説明】
【００３６】
１    サウナ室
２    前面壁
３    ドア
４    浴槽
５    天井面
６    開口部
７    液体気化装置
８    温水パイプ
９    吸気口
１０  排気口
１１  本体ケース
１２  送風路
１３  送風手段
１４  加熱手段
１５  気化手段
１６  孔
１７  板体
１８  給水手段
１９  突起
２０  ドレイン皿
【図１】
0005056455.tif 000002
【図２】
0005056455.tif 000003
【図３】
0005056455.tif 000004
【図４】
0005056455.tif 000005